【事件の表示】
　特願２００１−２５８６２１号「ゴーグル」拒絶査定不服審判事件〔平成１５年３月４日出願公開、特開２００３−６２００４号〕について、次のとおり審決する。
【結　論】
　本件審判の請求は、成り立たない。
【理　由】
I．手続の経緯 
　本願は、平成１３年８月２８日の出願であって、平成２２年１０月２７日付けで拒絶理由が通知され、これに対して平成２２年１２月２４日付けで意見書が提出されるとともに、同日付けで手続補正がなされ、平成２３年６月７日付けで拒絶理由が通知され、これに対して平成２３年８月５日付けで意見書が提出されるとともに、同日付けで手続補正がなされ、平成２４年３月１４日付けで平成２３年８月５日付けの手続補正についての却下の決定がなされるとともに、同日付けで拒絶査定がなされたところ、同査定を不服として平成２４年６月１８日に拒絶査定不服審判の請求がなされるとともに、同日付けで手続補正がなされたものである。 
　 
II．平成２４年６月１８日付けの手続補正の適否
１．補正の内容
　平成２４年６月１８日付けの手続補正（以下、「本件補正」という。）は、平成２３年８月５日付けの手続補正が却下されたので、平成２２年１２月２４日付けの手続補正で補正された特許請求の範囲、すなわち、
「【請求項１】
　ゴーグル本体（１）とヘッドバンド（２）とからなり、ゴーグル本体（１）の両端にヘッドバンド（２）の両端をそれぞれ連結部材（３）を介して連結したものとしており、ゴーグル本体（１）の端部にゴーグルの上下側に開口する嵌合口（５ａ、５ｂ）と、これら嵌合口（５ａ、５ｂ）に連通するようにして端面側に開口する挿脱口（６ａ）を有する挿脱路（６）を設けたものとし、さらに連結部材（３）の端部に前記嵌合口（５ａ、５ｂ）に嵌まり込んでゴーグルの上下側に突出する突起部（８ａ、９ａ）を有した弾性挿脱片（８、９）を設けたゴーグルであって、前記嵌合口（５ａ、５ｂ）を、ゴーグル本体（１）の端部に形成した窪み部（７ａ、７ｂ）に設けたものとしたことを特徴とするゴーグル。
【請求項２】
　前記弾性挿脱片（８、９）の突起部（８ａ、９ａ）が、前記嵌合口（５ａ、５ｂ）に嵌まり込んで上下側に突出しても、ゴーグル本体（１）の両端部の輪郭から大きく食み出すことのないものとしたことを特徴とする請求項１記載のゴーグル。
【請求項３】
　前記挿脱路（６）に、連結部材（３）の挿脱方向に形成した案内溝（６ｂ）を有したものとすると共に、連結部材（３）の端部に、前記弾性挿脱片（８、９）の間に位置させた案内片（１０）を突設したものとし、この案内片（１０）に、前記案内溝（６ｂ）に入り込んで案内される突条（１０ａ）を設けたものとしたことを特徴とする請求項１記載のゴーグル。」
　を、本件補正後の特許請求の範囲、すなわち、
「【請求項１】
　ゴーグル本体（１）とヘッドバンド（２）とからなり、ゴーグル本体（１）の両端にヘッドバンド（２）の両端をそれぞれ連結部材（３）を介して連結したものとしており、ゴーグル本体（１）の端部にゴーグルの上下側に開口する嵌合口（５ａ、５ｂ）と、これら嵌合口（５ａ、５ｂ）に連通するようにして
ゴーグルの
ゴーグルであって、前記嵌合口（５ａ、５ｂ）を、ゴーグル本体（１）の端部に形成した窪み部（７ａ、７ｂ）に設けたものとし、前記弾性挿脱片（８、９）の突起部（８ａ、９ａ）が、前記嵌合口（５ａ、５ｂ）に嵌まり込んで上下側に突出しても、ゴーグル本体（１）の両端部の輪郭から大きく食み出すことがなく、引っ掛かりがないものとした
【請求項２】
　前記挿脱路（６）に、連結部材（３）の挿脱方向に形成した案内溝（６ｂ）を有したものとすると共に、連結部材（３）の端部に、前記弾性挿脱片（８、９）の間に位置させた案内片（１０）を突設したものとし、この案内片（１０）に、前記案内溝（６ｂ）に入り込んで案内される突条（１０ａ）を設けたものとしたことを特徴とする請求項１記載のゴーグル。」（審決注：下線部は補正箇所）
　に補正するとともに、該特許請求の範囲の補正に整合するように明細書の記載を補正するものである。
　
２．補正の適否
　本件補正は、平成２２年１２月２４日付けの手続補正により補正された特許請求の範囲の請求項１を削除し、該特許請求の範囲の請求項２，３を新たな請求項１，２とするとともに、該補正に整合するように明細書の記載を補正するものであるから、請求項の削除及び明瞭でない記載の釈明を目的とするものに該当する。
　さらに、本件補正は、願書に最初に添付した明細書、特許請求の範囲又は図面に記載した事項の範囲内においてするものである。
　よって、本件補正は、平成１４年法律第２４号改正附則第２条第１項によりなお従前の例によるとされる同法による改正前の特許法第１７条の２第３項及び第４項に規定する要件を満たしており、適法になされたものであるから、本件補正を認める。
　
III．本願発明 
　上記のとおり、本件補正は認められるから、本願の請求項１に係る発明（以下、「本願発明」という。）は、本件補正により補正された特許請求の範囲の請求項１に記載された、以下のとおりのものである。
「ゴーグル本体（１）とヘッドバンド（２）とからなり、ゴーグル本体（１）の両端にヘッドバンド（２）の両端をそれぞれ連結部材（３）を介して連結したものとしており、ゴーグル本体（１）の端部にゴーグルの上下側に開口する嵌合口（５ａ、５ｂ）と、これら嵌合口（５ａ、５ｂ）に連通するようにしてゴーグルの端面側に開口する挿脱口（６ａ）を有する挿脱路（６）を設けたものとし、さらに連結部材（３）の端部に前記嵌合口（５ａ、５ｂ）に嵌まり込んでゴーグルの上下側に突出する突起部（８ａ、９ａ）を有した弾性挿脱片（８、９）を設けたゴーグルであって、前記嵌合口（５ａ、５ｂ）を、ゴーグル本体（１）の端部に形成した窪み部（７ａ、７ｂ）に設けたものとし、前記弾性挿脱片（８、９）の突起部（８ａ、９ａ）が、前記嵌合口（５ａ、５ｂ）に嵌まり込んで上下側に突出しても、ゴーグル本体（１）の両端部の輪郭から大きく食み出すことがなく、引っ掛かりがないものとしたことを特徴とするゴーグル。」
　
VI．引用文献の記載事項
　原査定の拒絶の理由に引用され、本願の出願前に頒布された刊行物である特開平８−１０８８８８号公報（以下、「引用文献」という。）には、図面と共に次の事項が記載されている。　
ア：「【請求項１】  前部（１４）と第１および第２側部（１６、１８）とを含み、少なくとも１つのレンズ（２０）を内包するフレーム（１２）と；前記フレームに固定され、前記フレームと使用者の顔との間に水密シールを得るように構成配置されるフレキシブルスカート（２４）と；速開放バックル（２８）の第１および第２結合部（３０、３２）の１つを有する前記側部の少なくとも１つと；第１および第２端部を有するマスクストラップ（４０）であって、前記端部の少なくとも１つが前記ストラップを前記フレームに開放可能に締め付けできる結合を行うため前記第１および第２結合部の他方に係合されるマスクストラップと、を有することを特徴とする潜水マスク。」（【特許請求の範囲】）
　
イ：「【産業上の利用分野】本発明は、シュノーケル、スキンダイビングやスキューバダイビングに使用される潜水マスクに関し、特に、マスクストラップがマスクフレームから迅速に開放取りはずしできる潜水マスクに関する。」（【０００１】）
　
ウ：「本発明のさらに他の目的は、マスクストラップをマスクフレームから迅速に取りはずし又は開放させる、マスクストラップ結合機構付き潜水マスクを提供することにある。」（【００１０】）
　
エ：「【作用】さらに詳しく言えば、本潜水マスクは、前部と第１および第２側部とを有するフレームを含み、少なくとも１つのレンズを内包する。フレキシブルスカートはフレームに固定され、フレームと使用者の顔との間に水密シールが得られるように構成配置される。側部の少なくとも１つは速開放バックルの第１および第２結合部の１つを有する。また、第１および第２端部を有するマスクストラップを含み、それらの少なくとも１端は第１および第２結合部の他方と係合してフレームへのストラップの着脱自在で締め付け可能な結合を行う。本発明の主たる特徴は、マスクストラップはその長さがマスクフレームへの取り付けとは別個に調節できることである。本発明の他の特徴は、マスクストラップアタッチメント部、速開放バックルの先鋭または雄部、およびタブ形ストラップ開放装置が、適当なプラスチック材により成形される単一片として設けられる。」（【００１２】）
　
オ：「【実施例】以下、この発明の好ましい実施例を例示として、図面を参照して説明する。まず、図１−４において、本潜水マスクは総括的に１０で示され、それぞれ前部１４と第１および第２側部１６、１８とを含むフレーム１２を含む。少なくとも前部１４はレンズ２０を内包し、第１および第２側部１６、１８の少なくとも１つは相対的に小さいレンズ２２を内包してダイバーの周囲水中視界を向上させる。好ましい実施例において、フレーム１２の側部１６、１８は、（図３と４に明示するように）上または下から見て大体Ｕ−形状を形成するためフレームの長手方向軸線にほぼ直角に後方に延出している。」（【００１３】）
　
カ：「次ぎに、第１および第２側部１６、１８の各々についてさらに詳細に説明する。下記の説明を簡素化するため、これら２つの側部を特記なきかぎり、同一のものと考える。好ましい実施例において、各側部は、総括的に２８で表す速開放バックルの半分を備え、バックルは、それぞれ雌雄バックル部であることを特徴とする、それぞれ第１および第２結合部３０、３２より構成される。
　つぎに、図１−８を参照すると、第１結合部３０は、第１端に第２結合部３２に係合する先鋭部３４と、マスクストラップ４０の端部３８を保持する先鋭部の反対側にストラップ保持部３６を含む。先鋭部３４に、軸方向に延長する案内アーム４４のどちらかの側に大体等間隔関係に配設される１対の弾性ラッチアーム４２が含まれる。ラッチアーム４２は固有バイアス力を有し、案内アーム４４の方向に一体に絞られてから開放されると、アームは元にまたは図５と７に示す静止位置へ戻る。このバイアス力により第１結合部３０と第２結合部３２の締め付け係合とともに解放性を容易にする。
　各ラッチアームの端部は傾斜先端４８を有する締め付けローブ４６に形成される。傾斜先端の反対側に、締め付けローブ４６は保持肩部４９を画成する。各ラッチアームの先端４８と案内アーム４４の端部は一般に、共通横軸線に沿って終端する。
　ラッチアーム４２と案内アーム４４の反対側の端部は第１結合部３０の大体凹縁５０に固定される。凹縁５０の後ろでラッチアーム４２と案内アーム４４の反対側にストラップ保持ラッチ部３６が位置している。大体横軸柱５２は軸柱支持部５４の孔５３により各端部で回転可能に支持される。一対の軸柱支持部はラッチアーム４２と案内アーム４４にたいし大体オフセット平行関係に延長する（図５に明示）。軸柱支持部５４は好ましくは、結合部３０に一体成形される。」（【００１５】〜【００１８】）
　
キ：「つぎに、図１、２および９を参照すると、速開放バックル２８も、上記第１結合部３０を着脱自在で開放可能に収容するように構成される、第２結合部３２を含む。従って、第２結合部は、互いに横方向に間隔をおいて位置する１対のラッチアーム受け器７０（図９に明示）を画成し、案内アーム受け器７２により分離されるハウジング６８を含む。案内アーム受け器は、好ましくはハウジング６８と一体に形成される１対の大体平行でほぼ垂直に突出する分割壁７４により画成される。
　第２結合部３２の重要な特徴は、各々対応のラッチアーム４２につけられる、締め付けローブ４６の対応の１つに接近する少なくとも１つ好ましくは２つの開放開口７６（図２に明示）を設けたことである。各開放開口７６は、ダイバーの指がふれやすくなっており、それによって、締め付けローブ４６を案内アーム４４に押し下げられ、従って、ラッチアームのバイアス力に打ち勝ち、第１結合部３０を第２結合３２から開放することができる寸法になっている。なお、好ましい実施例においては、第２結合部３２はマスクフレーム１２の第１および第２側部１６、１８に固定一体形成されているが、結合部３２、とくにハウジング６８は対応マスクフレーム側部に枢着されても良い。また、第１結合部３０の先鋭部３４と第２結合部３２との相対配向は、第２結合部をストラップ保持部３６に固定し、先鋭部３４をフレーム１２の第１および第２側部１６、１８に固定して、逆にできる。」（【００２２】〜【００２３】）
　
ク：「マスクストラップ４０をマスクフレーム１２に再度つけるには、ダイバーは、先鋭部３４を第２結合部３２に挿入してラッチアーム４２と案内アーム４４を対応の受け器７０、７２に整列させるだけでよい。ついで、第１結合部を、締め付けローブが開放開口７６に嵌着するまで、第２結合部ハウジング６８の方に軸方向に押圧させる。ローブの嵌着作用は、それらの固有のバイアス力と、また開放開口に達する前に内向き圧力を締め付けローブに加えるため幾分狭くしたハウジングの外形による。ついで、保持用肩４９は開放開口に係合して第１と第２結合部の不要な軸方向脱結合を阻止する。」（【００２８】）
　
ケ：図１，３，４には、マスクフレーム１２の両端にマスクストラップ４０の両端をそれぞれ第１結合部３０を介して連結した態様が示されている。
　
コ：図１〜４、特に図１，２には、マスクフレーム１２の両端部を構成する第２結合部ハウジング６８の上下側外縁部に形成した凹部に、潜水マスク１０の上下側に開口する開放開口７６を設けるとともに、第１結合部３０の先鋭部３４が、開放開口７６から潜水マスク１０の上下側に突出しても、マスクフレーム１２の両端部を構成する第２結合部ハウジング６８の上下側外縁部に形成した前記凹部の両肩部を結ぶ輪郭内にとどまる態様が示されている。
　
サ：図５〜７には、第１結合部３０の先鋭部３４が、その端部に外側に凸状の保持用肩４９を備えた一対の弾性ラッチアーム４２を有する態様が示されている。
　
シ：図９には、一対のラッチアーム受け器７０が潜水マスク１０の端面側に開口を有する態様が示されている。
　
ａ：上記ア〜ウの記載及び上記ケから、引用文献１に記載された潜水マスク１０は、マスクフレーム１２とマスクストラップ４０とからなり、マスクフレーム１２の両端にマスクストラップ４０の両端をそれぞれ第１結合部３０を介して連結したものとしているといえる。
　
ｂ：上記コから、ａの潜水マスク１０は、マスクフレーム１２の端部に潜水マスク１０の上下側に開口する開放開口７６が設けられているといえる。
　
ｃ：上記カの「第１結合部３０は、第１端に第２結合部３２に係合する先鋭部３４・・・を含む。」との記載、上記キの「上記第１結合部３０を着脱自在で開放可能に収容するように構成される、第２結合部３２・・・第２結合部は、互いに横方向に間隔をおいて位置する１対のラッチアーム受け器７０（図９に明示）を画成し、・・・ハウジング６８を含む。」との記載及び上記クの「マスクストラップ４０をマスクフレーム１２に再度つけるには、ダイバーは、先鋭部３４を第２結合部３２に挿入してラッチアーム４２と案内アーム４４を対応の受け器７０、７２に整列させるだけでよい。ついで、第１結合部を、締め付けローブが開放開口７６に嵌着するまで、第２結合部ハウジング６８の方に軸方向に押圧させる。」との記載からして、第１結合部３０はその先鋭部３４の一対の弾性ラッチアーム４２を第２結合部３２の一対のラッチアーム受け器７０に挿脱するものといえる。
　そうすると、上記シの一対のラッチアーム受け器７０の態様、上記コの開放開口７６の設置態様及び第１結合部３０の先鋭部３４の突出態様からして、ａの潜水マスク１０において、潜水マスク１０の上下側に開口する開放開口７６と一対のラッチアーム受け器７０の開口とが連通していることは明らかであるとともに、ａの潜水マスク１０は、これら開放開口７６に連通するようにして潜水マスク１０の端面側に開口する挿脱口を有する一対のラッチアーム受け器７０を設けたものといえる。
　
ｄ：上記サの第１結合部３０の先鋭部３４の態様、上記カの「各ラッチアームの端部は傾斜先端４８を有する締め付けローブ４６に形成される。傾斜先端の反対側に、締め付けローブ４６は保持肩部４９を画成する。」との記載及び上記クの「第１結合部を、締め付けローブが開放開口７６に嵌着するまで、第２結合部ハウジング６８の方に軸方向に押圧させる。ローブの嵌着作用は、それらの固有のバイアス力と、また開放開口に達する前に内向き圧力を締め付けローブに加えるため幾分狭くしたハウジングの外形による。ついで、保持用肩４９は開放開口に係合して第１と第２結合部の不要な軸方向脱結合を阻止する。」との記載からして、上記コにおいて潜水マスク１０の上下側に開口する開放開口７６から突出する第１結合部３０の先鋭部３４は、開放開口７６に嵌着、係合する、一対の弾性ラッチアーム４２の保持用肩４９であることは明らかであって、該保持用肩４９は前記開放開口７６に嵌まり込むといえる。
　そうすると、上記サの第１結合部３０の先鋭部３４の態様、上記コの開放開口７６の設置態様及び第１結合部３０の先鋭部３４の突出態様からして、ａの潜水マスク１０は、第１結合部３０の端部に、前記開放開口７６に嵌まり込んで潜水マスク１０の上下側に突出する保持用肩４９を有した一対の弾性ラッチアーム４２を設けたものといえる。
　さらに、ａの潜水マスク１０は、前記開放開口７６を、マスクフレーム１２の両端部を構成する第２結合部ハウジング６８の上下側外縁部に形成した凹部に設けたものとし、前記一対の弾性ラッチアーム４２の保持用肩４９が、前記開放開口７６に嵌まり込んで上下側に突出しても、マスクフレーム１２の両端部を構成する第２結合部ハウジング６８の上下側外縁部に形成した前記凹部の両肩部を結ぶ輪郭内にとどまるといえる。
　
　これら記載事項及び図示内容を総合すると、引用文献には、次の発明（以下、「引用発明」という。）が記載されている。
「マスクフレーム１２とマスクストラップ４０とからなり、マスクフレーム１２の両端にマスクストラップ４０の両端をそれぞれ第１結合部３０を介して連結したものとしており、マスクフレーム１２の端部に潜水マスク１０の上下側に開口する開放開口７６と、これら開放開口７６に連通するようにして潜水マスク１０の端面側に開口する挿脱口を有する一対のラッチアーム受け器７０を設けたものとし、さらに第１結合部３０の端部に前記開放開口７６に嵌まり込んで潜水マスク１０の上下側に突出する保持用肩４９を有した一対の弾性ラッチアーム４２を設けた潜水マスク１０であって、前記開放開口７６を、マスクフレーム１２の両端部を構成する第２結合部ハウジング６８の上下側外縁部に形成した凹部に設けたものとし、前記一対の弾性ラッチアーム４２の保持用肩４９が、前記開放開口７６に嵌まり込んで上下側に突出しても、マスクフレーム１２の両端部を構成する第２結合部ハウジング６８の上下側外縁部に形成した前記凹部の両肩部を結ぶ輪郭内にとどまる潜水マスク１０。」
　
V．対比
　本願発明と引用発明とを対比する。
　
１．本願明細書には、本願発明に係る「ゴーグル」について、「【発明の属する技術分野】この発明は、水泳、スキー、その他のスポーツ等に使用することのできるゴーグルに関するものである。」（【０００１】）と記載され、「図に示すこの発明のゴーグルは、水泳用のものとしており、アイカップと称される目を水から保護するゴーグル本体１と、頭部に装着するようにしたヘッドバンド２とからなり、ゴーグル本体１の両端にヘッドバンド２の両端をそれぞれ連結部材３を介して連結したものとしている。」（【００１３】）と記載されていることからして、本願発明に係る「ゴーグル」は、水泳用のものを含むといえるから、引用発明の「潜水マスク」は本願発明の「ゴーグル」に相当する。
　
　引用発明の「マスクフレーム１２」は本願発明の「ゴーグル本体（１）」に相当し、以下同様に、「マスクストラップ４０」は「ヘッドバンド（２）」に、「第１結合部３０」は「連結部材（３）」に、「開放開口７６」は「嵌合口（５ａ、５ｂ）」に、「一対のラッチアーム受け器７０」は「挿脱路（６）」に、「保持用肩４９」は「突起部（８ａ、９ａ）」に、「一対の弾性ラッチアーム４２」は「弾性挿脱片（８、９）」に、「マスクフレーム１２の両端部を構成する第２結合部ハウジング６８」は「ゴーグル本体（１）の端部」に、それぞれ相当する。
　
２．本願発明に係る「ゴーグル本体（１）の端部に形成した窪み部（７ａ、７ｂ）」について検討する。
（１）特許請求の範囲の請求項１の記載においては、「窪み部」に関し、「ゴーグル本体（１）の端部に形成した窪み部（７ａ、７ｂ）」と規定されているものの、「窪み部」自体については格別規定されていない。
　日本語の通常の語義において、「窪み」が「くぼむこと。くぼんだ所。へこみ。」を意味し、「窪む」が「一部分が落ち込んで低くなる。へこむ。」ことを意味する（広辞苑第６版）から、本願発明に係る「窪み部」は、その語義からして「一部分が落ち込んで低くなった部分」を意味すると解釈される。
　そうすると、本願発明に係る「ゴーグル本体（１）の端部に形成した窪み部（７ａ、７ｂ）」は、請求項１の記載及び日本語の通常の語義からして、「ゴーグル本体（１）の端部に形成した一部分が落ち込んで低くなった部分」を意味すると解釈される。
　また、発明の詳細な説明には、「窪み部」及び「ゴーグル本体（１）の端部に形成した窪み部（７ａ、７ｂ）」に関し、「この発明のゴーグルは、前記嵌合口５ａ、５ｂを、ゴーグル本体１の端部に形成した窪み部７ａ、７ｂに設けたものとしている。」（【００１０】）、「前記嵌合口５ａ、５ｂは、図示したようにゴーグル本体１の両端部にそれぞれ形成した窪み部７ａ、７ｂに設けたものとしている。」（【００１５】）、「弾性挿脱片８、９の突起部８ａ、９ａは、嵌合口５ａ、５ｂがゴーグル本体１の両端部の窪み部７ａ、７ｂに設けられている場合には、嵌合口５ａ、５ｂに嵌まり込んで上下側に突出しても、ゴーグル本体１の両端部の輪郭から大きく食み出すことなく、引っ掛かりがなくすっきりしたものとなる。」（【００１７】）との記載が確認される程度であって、「窪み部」自体や「ゴーグル本体（１）の端部に形成した窪み部（７ａ、７ｂ）」を定義する記載は見当たらず、本願発明に係る「ゴーグル本体（１）の端部に形成した窪み部（７ａ、７ｂ）」が「ゴーグル本体（１）の端部に形成した一部分が落ち込んで低くなった部分」を意味するとの解釈は、上記記載を含む発明の詳細な説明の記載と整合するものである。
　さらに、本願発明に係る「ゴーグル本体（１）の端部に形成した窪み部（７ａ、７ｂ）」についての上記解釈は、図１〜９に記載された、嵌合口５ａ、５ｂがゴーグル本体１の端部に形成した窪み部７ａ、７ｂに設けられている態様と整合するものである。
 
（２）請求人は、「本願の請求項１に係る発明では、審判請求書にも記載したように、「嵌合口（５ａ、５ｂ）を、ゴーグル本体（１）の端部に形成した窪み部（７ａ、７ｂ）に設けたものとし」たことにより、「窪み部（７ａ、７ｂ）」の上下前後側面（審判請求書の〔添付図１〕〜〔添付図３〕の符号（Ｏｕ）、（Ｏｄ）、（Ｐｕ）、（Ｐｄ）、（Ｑｕ）、（Ｑｄ））によって、ゴーグル本体（１）の端部が強化されることになる。 
　これに対し、引用文献１・・・に記載された発明の「嵌合口（開放開口）７６」・・・は、いずれも本願の請求項１に係る発明の「窪み部（７ａ、７ｂ）」を形成することなく、「ハウジング６８」・・・の上面と側面を直接切り欠いて形成しているため、引用文献１・・・に記載された発明では、本願の請求項１に係る発明の「窪み部（７ａ、７ｂ）」に相当するものが存在せず、ゴーグル本体（バックル本体）の端部は強度が低下したものとなっている。」（回答書【回答の内容】（２）の項）と主張する。 
  しかしながら、「窪み部」が「一部分が落ち込んで低くなった部分」を意味すると解釈され、本願発明に係る「ゴーグル本体（１）の端部に形成した窪み部（７ａ、７ｂ）」が「ゴーグル本体（１）の端部に形成した一部分が落ち込んで低くなった部分」を意味すると解釈されることは上記のとおりであって、「上下前後側面」を有するか否かは「一部分が落ち込んで低くなった部分」といえるか否かを左右するものではなく、しかも、本願明細書及び図面の記載を検討しても、請求人が主張するように、本願発明に係る「嵌合口（５ａ、５ｂ）」を設けた「窪み部」を「上下前後側面」を有するものに限定して解すべき根拠も見出せない。
　したがって、請求人の上記主張は採用することができない。
　
（３）以上によれば、本願の特許請求の範囲の請求項１の記載、発明の詳細名説明の記載、図面の記載及び通常の日本語の語義からして、本願発明に係る「ゴーグル本体（１）の端部に形成した窪み部（７ａ、７ｂ）」は「ゴーグル本体（１）の端部に形成した一部分が落ち込んで低くなった部分」を意味するといえるから、引用発明の「マスクフレーム１２の両端部を構成する第２結合部ハウジング６８の上下側外縁部に形成した凹部」は本願発明の「ゴーグル本体（１）の端部に形成した窪み部（７ａ、７ｂ）」に相当する。
　
３．本願明細書には、本願発明に係る「前記弾性挿脱片（８、９）の突起部（８ａ、９ａ）が、前記嵌合口（５ａ、５ｂ）に嵌まり込んで上下側に突出しても、ゴーグル本体（１）の両端部の輪郭から大きく食み出すことがなく、引っ掛かりがないものとしたこと」に関し、「弾性挿脱片８、９の突起部８ａ、９ａは、嵌合口５ａ、５ｂがゴーグル本体１の両端部の窪み部７ａ、７ｂに設けられている場合には、嵌合口５ａ、５ｂに嵌まり込んで上下側に突出しても、ゴーグル本体１の両端部の輪郭から大きく食み出すことなく、引っ掛かりがなくすっきりしたものとなる。」（【００１７】）、「【発明の効果】この発明のゴーグルは、以上に述べたように構成されており、ゴーグル本体と連結部材を分離する際に、親指一本ではなく親指と人差指の二本の指で操作できるので、その操作がし易く、確実な操作ができるようになり、またゴーグル本体と連結部材を確実な状態に連結し、しかも使用中に正面側から外力がかかっても、ゴーグル本体と連結部材との連結が外れてしまうことがないものとなった。」（【００２０】）との記載が確認されるものの、弾性挿脱片８、９の突起部８ａ、９ａが、嵌合口５ａ、５ｂから具体的にどの限度で突出するのであれば、ゴーグル本体１の両端部の輪郭から大きく食み出すことなく、引っ掛かりがないものとなるか記載されてない。
　また、図１〜９にも、弾性挿脱片８、９の突起部８ａ、９ａが、ゴーグル本体１の両端部の窪み部７ａ、７ｂの両肩部を結ぶ輪郭内にとどまる程度、嵌合口５ａ、５ｂから突出している態様が示されているにすぎない。
　他方、引用発明に係る「前記一対の弾性ラッチアーム４２の保持用肩４９が、前記開放開口７６に嵌まり込んで上下側に突出しても、マスクフレーム１２の両端部を構成する第２結合部ハウジング６８の上下側外縁部に形成した前記凹部の両肩部を結ぶ輪郭内にとどまる」態様も、一対の弾性ラッチアーム４２の保持用肩４９が凹部内に引っ込んで位置することになるから、本願発明と同様に、より引っ掛かりがなくすっきりしたものとなることは明らかであって、該態様における一対の弾性ラッチアーム４２の保持用肩４９がマスクフレーム１２の両端部の輪郭から大きく食み出していると解すべき根拠は見出せない。
　そうすると、引用発明の「前記一対の弾性ラッチアーム４２の保持用肩４９が、前記開放開口７６に嵌まり込んで上下側に突出しても、マスクフレーム１２の両端部を構成する第２結合部ハウジング６８の上下側に形成された前記凹部の両肩部を結ぶ輪郭内にとどまる」ことは、本願発明の「前記弾性挿脱片（８、９）の突起部（８ａ、９ａ）が、前記嵌合口（５ａ、５ｂ）に嵌まり込んで上下側に突出しても、ゴーグル本体（１）の両端部の輪郭から大きく食み出すことがなく、引っ掛かりがないものとしたこと」に相当する。
 
４．以上によれば、本願発明と引用発明とは、　
「ゴーグル本体（１）とヘッドバンド（２）とからなり、ゴーグル本体（１）の両端にヘッドバンド（２）の両端をそれぞれ連結部材（３）を介して連結したものとしており、ゴーグル本体（１）の端部にゴーグルの上下側に開口する嵌合口（５ａ、５ｂ）と、これら嵌合口（５ａ、５ｂ）に連通するようにしてゴーグルの端面側に開口する挿脱口（６ａ）を有する挿脱路（６）を設けたものとし、さらに連結部材（３）の端部に前記嵌合口（５ａ、５ｂ）に嵌まり込んでゴーグルの上下側に突出する突起部（８ａ、９ａ）を有した弾性挿脱片（８、９）を設けたゴーグルであって、前記嵌合口（５ａ、５ｂ）を、ゴーグル本体（１）の端部に形成した窪み部（７ａ、７ｂ）に設けたものとし、前記弾性挿脱片（８、９）の突起部（８ａ、９ａ）が、前記嵌合口（５ａ、５ｂ）に嵌まり込んで上下側に突出しても、ゴーグル本体（１）の両端部の輪郭から大きく食み出すことがなく、引っ掛かりがないものとしたするゴーグル。」
　である点で一致し、両者の間に相違点はない。
　
V．判断
１．したがって、本願発明は、引用文献に記載された発明であるから、特許法第２９条第１項第３号に該当し、特許を受けることができない。
　
２．念のために、請求人が主張するように、本願発明に係る「嵌合口（５ａ、５ｂ）」を設けた「窪み部（７ａ、７ｂ）」が「上下前後側面」を有するものであるとして、本願発明の進歩性について検討する。
　開放開口７６及び該開放開口７６に嵌り込む一対の弾性ラッチアーム４２の保持用肩４９をどの程度の大きさとするかは、開放開口７６を設ける第２結合部ハウジング６８及び保持用肩４９を備える弾性ラッチアーム４２に要求される強度とこれらの部材の材質に応じて適宜決定される程度の事項にすぎないといえる。 
　そうすると、引用発明において、開放開口７６の大きさを、開放開口７６を第２結合部ハウジング６８の凹部に形成しても「上下前後側面」が存在する程度に小さなものとすることは、当業者が容易に想到し得る程度の事項である。
　そして、本願発明の効果は引用発明から当業者が予測し得る範囲内のものであって、格別顕著なものとはいえない。
　したがって、仮に、本願発明に係る「嵌合口（５ａ、５ｂ）」を設けた「窪み部（７ａ、７ｂ）」が、請求人が主張するように、「上下前後側面」を有するものであるとしても、本願発明は、引用文献に記載された発明に基いて当業者が容易に発明をすることができたものであるから、特許法第２９条第２項の規定により特許を受けることができない。
　なお、請求人は、引用発明の「開放開口７６」が「ハウジング６８」の上面と側面を直接切り欠いて形成したものである旨主張するが、引用文献には、「開放開口７６」が「ハウジング６８」の上面と側面を直接切り欠いて形成することを前提としたものである旨の記載は見当たらず、請求人の上記主張は上記容易想到性の判断を否定する程のものとはいえない。
　
VI．むすび
　以上のとおり、本願発明は、引用文献に記載された発明であるから、特許法第２９条第１項第３号に該当し、特許を受けることができない。
　仮に、請求人が主張するように、本願発明に係る「嵌合口（５ａ、５ｂ）」を設けた「窪み部（７ａ、７ｂ）」が「上下前後側面」を有するものであるとしても、本願発明は、引用文献に記載された発明に基いて当業者が容易に発明をすることができたものであるから、特許法第２９条第２項の規定により特許を受けることができない。
　
　よって、結論のとおり審決する。